(57)【特許請求の範囲】
【請求項１】
成分（Ａ）：イオン性界面活性剤、並びに
成分（Ｂ）：平均量体数が４〜１２のヒドロキシステアリン酸重合物を１種又は２種以上、を含有し、
洗浄料用組成物の総質量に対し、前記成分（Ａ）の含有量が、５〜６０質量％であることを特徴とする洗浄料用組成物。
【請求項２】
前記成分（Ａ）が、アニオン界面活性剤及び両性界面活性剤であることを特徴とする請求項１に記載の洗浄料用組成物。
【請求項３】
前記アニオン性界面活性剤が、脂肪酸セッケン、炭素数８〜２２の脂肪酸アミドスルホン酸塩、アルキル硫酸エステル塩、Ｎ−アシルグルタミン酸塩、及びＮ−アシルグリシン塩からなる群より選ばれる１種以上のアニオン界面活性剤であり、
前記両性界面活性剤が、２−ウンデシル−Ｎ，Ｎ，Ｎ−(ヒドロキシエチルカルボキシメチル)−２−イミダゾリンナトリウム、２−ココイル−２−イミダゾリニウムヒドロキサイド−１−カルボキシエチルオキシ−２−ナトリウム、２−ヘプタデシル−Ｎ−カルボキシメチル−Ｎ−ヒドロキシエチルイミダゾリニウムベタイン、ラウリルジメチルアミノ酢酸ベタイン、アルキルベタイン、アミドベタイン、アルキルアミドベタイン、及びスルホベタインからなる群から選ばれる１種以上の両性界面活性剤であることを特徴とする請求項２に記載の洗浄料用組成物。
【請求項４】
前記成分（Ａ）が、アニオン界面活性剤であることを特徴とする請求項１に記載の洗浄料用組成物。
【請求項５】
前記アニオン性界面活性剤が、脂肪酸セッケン、炭素数８〜２２の脂肪酸アミドスルホン酸塩、アルキル硫酸エステル塩、Ｎ−アシルグルタミン酸塩、及びＮ−アシルグリシン塩からなる群より選ばれる１種以上のアニオン界面活性剤であることを特徴とする請求項４に記載の洗浄料用組成物。
【請求項６】
さらに、以下の多価アルコールを、前記洗浄料用組成物の総質量に対し、１〜４０質量％含有することを特徴とする請求項１〜５のいずれか１項に記載の洗浄料用組成物。
多価アルコール：プロピレングリコール、グリセリン、ジグリセリン、１，３ブチレングリコール、イソプレングリコール、ジプロピレングリコール、ポリエチレングリコール、ペンタエリスリトール、ジペンタエリスリトール、ネオペンチルグリコール、ソルビトール、ソルビタンからなる群より選ばれる１種以上。
【請求項７】
請求項１〜６のいずれか１項に記載の洗浄料用組成物を含有することを特徴とする洗浄料。
【発明の詳細な説明】
【技術分野】
【０００１】
本発明は、起泡力、泡質が良好で、洗浄時にすすぎやすく、洗浄後にべたつきが無く、しっとりとした感触が得られる洗浄料用組成物に関するものである。
本発明は、２０１１年１１月７日、日本国に出願された特願２０１１−２４３３７３号に基づき優先権を主張し、その内容をここに援用する。
【背景技術】
【０００２】
近年、皮膚及び頭髪用洗浄料においては、洗浄力だけでなく、起泡力、泡の細かさ、弾力性、持続力などの泡質、洗浄後の感触が優れているものが求められている。皮膚及び頭髪用洗浄料の主成分として脂肪酸石鹸やアミノ酸系界面活性剤がよく用いられているが、これらの界面活性剤を使用した場合、起泡力は優れているが、泡質や洗い流し後のしっとり感などは不十分であった。【０００３】
洗浄力に優れ、かつ洗浄後の感触も良好な洗浄料としては、例えば、特許文献１には、使用感を向上させた洗浄料として、アニオン界面活性剤と両性界面活性剤と１２−ヒドロキシステアリン酸を含有した洗浄料が開示されている。また、特許文献２には、起泡性界面活性剤と炭化水素系ペースト状油剤と非炭化水素系ペースト状油剤を含有する水性皮膚洗浄料が開示されている。特許文献３には、ヒドロキシアルキルエーテルカルボン酸塩と抱水率が１００％以上の油性成分を含有する洗浄料が開示されている。さらに、特許文献４には、高級脂肪酸塩、アミノ酸系ポリマー、及びイオン性の異なる二種以上の水溶性高分子を含有する皮膚洗浄剤組成物が開示されている。【０００４】
一方で、ヒドロキシステアリン酸重合物は顔料分散性に優れ、化粧料に使用されている。例えば特許文献５には、（ａ）体質粉体、(ｂ)油剤０．１〜３０質量％、(ｃ)ポリヒドロキシステアリン酸０．００１〜３質量％を含有することを特徴とする粉体化粧料が開示されており、粉体と油剤の濡れ性を向上させる目的でヒドロキシステアリン酸重合物が配合されている。【０００５】
また、特許文献６には、ジペンタエリスリトールと、１２−ヒドロキシステアリン酸重合物とをエステル化することによって得られるエステル化反応生成物であって、前記エステル化反応生成物の水酸基価が２０〜７０ｍｇＫＯＨ／ｇであり、酸価が３ｍｇＫＯＨ／ｇ以下である、エステル化反応生成物が開示されている。前記エステル化反応生成物は、抱水性が高く、かつ顔料等の分散性が良好であるため、前記エステル化反応生成物を用いることにより、水（及び／または多価アルコール）の配合量が多く、しかも保水安定性及び経時安定性に優れた水中油型乳化化粧料及び油中水型乳化化粧料を得ることができる。
【先行技術文献】
【特許文献】
【０００６】
【特許文献１】特開平５−１７０６２２号公報
【特許文献２】特開２００６−３３５６７３号公報
【特許文献３】特開２００８−２３１３４６号公報
【特許文献４】特開２００４−２１０７０４号公報
【特許文献５】特開２００４−２７７４００号公報
【特許文献６】国際公開第２００６／０８０３８９号
【発明の概要】
【発明が解決しようとする課題】
【０００７】
特許文献１〜４に記載の洗浄料は、従来よりも洗浄力と使用感は改善されているものの、起泡力、泡質、洗浄後のしっとり感等は、不十分であった。
また、特許文献５及び６には、洗顔料にヒドロキシステアリン酸重合物又はヒドロキシステアリン酸重合物のエステル化反応生成物を配合することにより、起泡力、泡質が良好で、洗浄時にすすぎやすく、洗浄後にべたつきが無く、しっとりとした感触が得られることについては記載も示唆もされていない。【０００８】
以上のような背景から、起泡力、泡質が良好で、洗浄時にすすぎやすく、洗浄後にべたつきが無く、しっとりとした感触が得られる洗浄料の開発が望まれていた。
本発明の目的は、起泡力、泡質が良好で、洗浄時にすすぎやすく、洗浄後にべたつきが無く、しっとりとした感触が得られる洗浄料用組成物を提供することである。
【課題を解決するための手段】
【０００９】
本発明者らは、上記課題を解決するために鋭意検討を重ねた結果、ヒドロキシステアリン酸の重合物又はそのエステル化反応生成物を洗浄料に配合することにより、起泡力、泡質が良好で、洗浄時にすすぎやすく、洗浄後にべたつきが無く、しっとりとした感触が得られる洗浄料が得られることを見出し、本発明を完成するに至った。【００１０】
すなわち、本発明は、
（１）成分（Ａ）：イオン性界面活性剤、並びに
成分（Ｂ）：平均量体数が４〜１２のヒドロキシステアリン酸重合物を１種又は２種以上、を含有し、
洗浄料用組成物の総質量に対し、前記成分（Ａ）の含有量が、５〜６０質量％であることを特徴とする洗浄料用組成物；
（２）前記成分（Ａ）が、アニオン界面活性剤及び両性界面活性剤であることを特徴とする（１）に記載の洗浄料用組成物；
（３）前記アニオン性界面活性剤が、脂肪酸セッケン、炭素数８〜２２の脂肪酸アミドスルホン酸塩、アルキル硫酸エステル塩、Ｎ−アシルグルタミン酸塩、及びＮ−アシルグリシン塩からなる群より選ばれる１種以上のアニオン界面活性剤であり、前記両性界面活性剤が、２−ウンデシル−Ｎ，Ｎ，Ｎ−(ヒドロキシエチルカルボキシメチル)−２−イミダゾリンナトリウム、２−ココイル−２−イミダゾリニウムヒドロキサイド−１−カルボキシエチルオキシ−２−ナトリウム、２−ヘプタデシル−Ｎ−カルボキシメチル−Ｎ−ヒドロキシエチルイミダゾリニウムベタイン、ラウリルジメチルアミノ酢酸ベタイン、アルキルベタイン、アミドベタイン、アルキルアミドベタイン、及びスルホベタインからなる群から選ばれる１種以上の両性界面活性剤であることを特徴とする（２）に記載の洗浄料用組成物；
（４）前記成分（Ａ）が、アニオン界面活性剤であることを特徴とする（１）に記載の洗浄料用組成物；
（５）前記アニオン性界面活性剤が、脂肪酸セッケン、炭素数８〜２２の脂肪酸アミドスルホン酸塩、アルキル硫酸エステル塩、Ｎ−アシルグルタミン酸塩、及びＮ−アシルグリシン塩からなる群より選ばれる１種以上のアニオン界面活性剤であることを特徴とする（４）に記載の洗浄料用組成物；
（６）さらに、以下の多価アルコールを、前記洗浄料用組成物の総質量に対し、１〜４０質量％含有することを特徴とする（１）〜（５）のいずれか１項に記載の洗浄料用組成物。
多価アルコール：プロピレングリコール、グリセリン、ジグリセリン、１，３ブチレングリコール、イソプレングリコール、ジプロピレングリコール、ポリエチレングリコール、ペンタエリスリトール、ジペンタエリスリトール、ネオペンチルグリコール、ソルビトール、ソルビタンからなる群より選ばれる１種以上。
（７）（１）〜（６）のいずれか１項に記載の洗浄料用組成物を含有することを特徴とする洗浄料；
を提供するものである。
【発明の効果】
【００１１】
本発明によれば、起泡力、泡質が良好で、洗浄時にすすぎやすく、洗浄後にべたつきが無く、しっとりとした感触が得られる洗浄料用組成物、及びそれを含有する洗浄料を提供することができる。
【発明を実施するための形態】
【００１２】
（洗浄料用組成物）
本発明の洗浄料用組成物は、下記成分（Ａ）、及び（Ｂ）を含有することを特徴とする。
成分（Ａ）：イオン性界面活性剤、並びに
成分（Ｂ）：ヒドロキシステアリン酸重合物、及びヒドロキシステアリン酸重合物のエステル化反応生成物からなる群より選択される１種以上の化合物。
【００１３】
成分（Ａ）のイオン性界面活性剤は、洗浄料をはじめとする各種化粧料等に配合可能なイオン性界面活性剤であれば特に限定されるものではなく、アニオン界面活性剤、カチオン界面活性剤、両性界面活性剤の１種又は２種以上を組み合せて用いることができる。
【００１４】
アニオン界面活性剤としては、例えば、セッケン用素地、ラウリン酸ナトリウム、パルミチン酸ナトリウム等の脂肪酸セッケン；ラウリル硫酸ナトリウム、ラウリル硫酸カリウム等の炭素数８〜２２のアルキル硫酸エステル塩；ポリオキシエチレン（以下、ＰＯＥと略す）−ラウリル硫酸トリエタノールアミン、ＰＯＥ−ラウリル硫酸ナトリウム等のアルキルエーテル硫酸エステル塩；ラウロイルサルコシンナトリウム等のＮ−アシルサルコシン酸；Ｎ−ミリストイル−Ｎ−メチルタウリンナトリウム、ヤシ油脂肪酸メチルタウリンナトリウム（ココイルメチルタウリンナトリウムと言うこともある）、ラウリルメチルタウリンナトリウム等の炭素数８〜２２の脂肪酸アミドスルホン酸塩；ＰＯＥ−オレイルエーテルリン酸ナトリウム、ＰＯＥ−ステアリルエーテルリン酸等のリン酸エステル塩；ジ−２−エチルヘキシルスルホコハク酸ナトリウム、モノラウロイルモノエタノールアミドポリオキシエチレンスルホコハク酸ナトリウム、ラウリルポリプロピレングリコールスルホコハク酸ナトリウム等のスルホコハク酸塩；リニアドデシルベンゼンスルホン酸ナトリウム、リニアドデシルベンゼンスルホン酸トリエタノールアミン、リニアドデシルベンゼンスルホン酸等のアルキルベンゼンスルホン酸塩；Ｎ−ラウロイルグルタミン酸モノナトリウム、Ｎ−ステアロイルグルタミン酸ジナトリウム、Ｎ−ミリストイル−Ｌ−グルタミン酸モノナトリウム等のＮ−アシルグルタミン酸塩；Ｎ−ヤシ油脂肪酸アシルグリシンカリウム、Ｎ−ステアロイルグリシンナトリウム等のＮ−アシルグリシン塩；硬化ヤシ油脂肪酸グリセリン硫酸ナトリウム等の炭素数８〜２２の脂肪酸エステル硫酸エステル塩；ロート油等の硫酸化油；ＰＯＥ−アルキルエーテルカルボン酸、ＰＯＥ−アルキルアリルエーテルカルボン酸塩、α−オレフィンスルホン酸塩、炭素数８〜２２の脂肪酸エステルスルホン酸塩、二級アルコール硫酸エステル塩、炭素数８〜２２の脂肪酸アルキロールアミド硫酸エステル塩、ラウロイルモノエタノールアミドコハク酸ナトリウム、Ｎ−パルミトイルアスパラギン酸ジトリエタノールアミン、カゼインナトリウム等が挙げられる。
本発明の洗浄料用組成物においては、脂肪酸セッケン、炭素数８〜２２の脂肪酸アミドスルホン酸塩、アルキル硫酸エステル塩、Ｎ−アシルグルタミン酸塩、及びＮ−アシルグリシン塩を用いることが好ましく、脂肪酸セッケン、Ｎ−アシルグルタミン酸塩、炭素数８〜２２の脂肪酸アミドスルホン酸塩、及びＮ−アシルグリシン塩を用いることがより好ましい。このうち、炭素数８〜２２の脂肪酸アミドスルホン酸塩が特に好ましく、ヤシ油脂肪酸メチルタウリンナトリウム（ココイルメチルタウリンナトリウム）が最も好ましい。
上記アニオン界面活性剤は、単独で用いてもよく、又は２種以上を組み合わせて用いてもよい。
【００１５】
カチオン界面活性剤としては、例えば、塩化ステアリルトリメチルアンモニウム、塩化ラウリルトリメチルアンモニウム等のアルキルトリメチルアンモニウム塩；塩化ジステアリルジメチルアンモニウム等のジアルキルジメチルアンモニウム塩；塩化ポリ(Ｎ，Ｎ‘−ジメチル−３，５−メチレンピペリジニウム)、塩化セチルピリジニウム等のアルキルピリジニウム塩；アルキル四級アンモニウム塩、アルキルジメチルベンジルアンモニウム塩、アルキルイソキノリニウム塩、ジアルキルモリホニウム塩、ＰＯＥ−アルキルアミン、アルキルアミン塩、ポリアミン脂肪酸誘導体、アミルアルコール脂肪酸誘導体、塩化ベンザルコニウム、及び塩化ベンゼトニウム等が挙げられる。
カチオン界面活性剤は、単独で用いてもよく、又は２種以上を組み合わせて用いてもよい。
【００１６】
両性界面活性剤としては、例えば、２−ウンデシル−Ｎ，Ｎ，Ｎ−(ヒドロキシエチルカルボキシメチル)−２−イミダゾリンナトリウム、２−ココイル−２−イミダゾリニウムヒドロキサイド−１−カルボキシエチルオキシ−２−ナトリウム塩等のイミダゾリン系両性界面活性剤；２−ヘプタデシル−Ｎ−カルボキシメチル−Ｎ−ヒドロキシエチルイミダゾリニウムベタイン、ラウリルジメチルアミノ酢酸ベタイン、アルキルベタイン、アミドベタイン、アルキルアミドベタイン、及びスルホベタイン等のベタイン系界面活性剤等が挙げられる。本発明の洗浄料用組成物においては、ベタイン系界面活性剤、イミダゾリン系界面活性剤を用いることが好ましく、ベタイン系界面活性剤がより好ましく、ヤシ脂肪酸アミドプロピルベタインが特に好ましい。
両性界面活性剤は、単独で用いてもよく、又は２種以上を組み合わせて用いてもよい。
【００１７】
本発明の洗浄料用組成物中、成分（Ａ）のイオン性界面活性剤の含有量は、洗浄効果を奏するために十分な濃度であればよく、前記洗浄料用組成物が配合される洗浄料の種類、その他の配合成分の種類や量等を考慮して適宜決定することができる。例えば、本発明の洗浄料用組成物は成分（Ａ）のイオン性界面活性剤を、洗浄料用組成物の総質量に対して、５〜６０質量％、好ましくは５〜５０質量％、より好ましくは５〜４０質量％含有することができる。イオン性界面活性剤の配合量が、洗浄料用組成物の総質量に対して、５質量％よりも少ない場合には、洗浄性、起泡性等の機能が得られ難くなり、６０質量％を超えて配合した場合には、得られた組成物がゲル化するおそれがあり、安定な処方物が得られ難くなる。すなわち、本発明の洗浄料用組成物は、成分（Ａ）を洗浄料用組成物の総質量に対して、５〜６０質量配合することで、洗浄性、起泡性等の機能が得られやすく、得られた組成物がゲル化せず、安定な処方物が得られやすいため好ましい。
【００１８】
成分（Ａ）のイオン性界面活性剤としては、両性界面活性剤又はアニオン界面活性剤を用いることが好ましい。更に、成分（Ａ）としては、脂肪酸セッケン、炭素数８〜２２の脂肪酸アミドスルホン酸塩、アルキル硫酸エステル塩、Ｎ−アシルグルタミン酸塩、Ｎ−アシルグリシン塩、ベタイン系界面活性剤、及びイミダゾリン系界面活性剤を用いることがより好ましく、脂肪酸セッケン、Ｎ−アシルグルタミン酸塩、Ｎ−アシルグリシン塩、ベタイン系界面活性剤、及びイミダゾリン系界面活性剤を用いることが特に好ましい。
また本発明の洗浄料用組成物においては、成分（Ａ）は、イオン性界面活性剤として洗浄料用組成物中に添加されたものだけでなく、洗浄料用組成物を製造する過程で生成した中和塩を含むものである。
【００１９】
本発明の洗浄料用組成物は、成分（Ｂ）として、ヒドロキシステアリン酸重合物、及びヒドロキシステアリン酸重合物のエステル化反応生成物からなる群より選択される１種以上の化合物を含有する。成分（Ｂ）として、１種又は２種以上のヒドロキシステアリン酸重合物のみを含有してもよく、１種又は２種以上のヒドロキシステアリン酸重合物のエステル化反応生成物のみを含有してもよく、１種又は２種以上のヒドロキシステアリン酸重合物と１種又は２種以上のヒドロキシステアリン酸重合物のエステル化反応生成物とを含有してもよい。
【００２０】
ヒドロキシステアリン酸重合物とは、モノマーであるヒドロキシステアリン酸が、複数重合した重合物のことを指す。ヒドロキシステアリン酸は、分子内に水酸基を１個有しており、ヒドロキシステアリン酸の重合反応は、ヒドロキシステアリン酸分子中の水酸基又はカルボキシル基を、他のヒドロキシステアリン酸分子中のカルボキシル基又は水酸基とエステル化する反応、すなわち分子間エステル化反応である。
ヒドロキシステアリン酸重合物としては、１２−ヒドロキシステアリン酸の重合物が挙げられる。
【００２１】
１２−ヒドロキシステアリン酸の重合物は、例えば、以下のような重合反応によって製造することができる。
１２−ヒドロキシステアリン酸を反応容器に仕込み、酸、アルカリ、その他金属触媒の存在下、又は非存在下、好ましくは反応に不活性な有機溶媒及び／又は気体中において、１８０℃〜２２０℃の温度で５〜３０時間、攪拌しながらエステル化反応（重合反応）を行なう。
【００２２】
１２−ヒドロキシステアリン酸としては、例えば、ヒマシ種子油を加水分解して得られるリシノール酸を水素添加することによって得られたものを用いることができる。また、１２−ヒドロキシステアリン酸としては、市販品を使用することができ、例えば、小倉合成工業（株）製、商品名「１２−ヒドロ酸（ＨＰ）」、川研ファインケミカル（株）製の商品「ヒドロキシステアリン酸」、日本油脂（株）製の商品、「ヒマシ硬化脂肪酸」等が使用可能である。
【００２３】
１２−ヒドロキシステアリン酸重合物は、その平均重合度（平均量体数）が２〜１２であることが好ましい。すなわち、本発明において、平均量体数とは、モノマーである１２−ヒドロキシステアリン酸の平均重合度のことを指す。平均重合度が上記範囲、すなわち、２〜１２であると、起泡力、泡質、使用感が向上する。また、１２-ヒドロキシステアリン酸重合物の平均重合度は、４〜１２であることがより好ましく、６〜１２であることが最も好ましい。１２-ヒドロキシステアリン酸重合物の平均重合度を上記範囲とするには、１２−ヒドロキシステアリン酸の重合反応中に、反応生成物の酸価を測定することによって調整することができる。すなわち、１２−ヒドロキシステアリン酸の重合反応中に反応生成物をサンプリングし、その酸価を測定することにより平均重合度を算出し、所望の平均重合度となった時点でエステル化反応（重合反応）を停止することによって容易に実施可能である。すなわち、１２-ヒドロキシステアリン酸の反応生成物の酸価が１５．５〜１０５ｍｇＫＯＨ／ｇとなった時点でエステル化反応を停止することによって、平均重合度が２〜１２である１２-ヒドロキシステアリン酸重合物を得ることができる。
ここで、酸価とは、１２−ヒドロキシステアリン酸重合物１ｇ中に存在する遊離脂肪酸を中和するのに必要な水酸化カリウムのｍｇ数のことを指す。
【００２４】
ヒドロキシステアリン酸重合物のエステル化反応生成物は、前記ヒドロキシステアリン酸重合物とアルコールとをエステル化することによって得られる。エステル化反応に用いるアルコールとしては、１価のアルコールであってもよく、多価アルコールであってもよい。１価のアルコールとしては、例えば、メタノール、エタノール、プロパノール、イソプロパノール、イソブチルアルコール、ｔ−ブチルアルコール等が挙げられる。多価アルコールとしては、例えば、プロピレングリコール、グリセリン、ジグリセリン、１，３ブチレングリコール、イソプレングリコール、ジプロピレングリコール、ポリエチレングリコール、ペンタエリスリトール、ジペンタエリスリトール、ネオペンチルグリコール、ソルビタン等が挙げられる。このうち、ヒドロキシステアリン酸重合物とエステル化するアルコールとしては、グリセリン、ジグリセリン、ソルビタン、ペンタエリスリトール、ジペンタエリスリトールから選ばれる１種又は２種以上のアルコールであることが好ましく、ジペンタエリスリトールであることがより好ましい。
すなわち、成分（Ｂ）として用いられるヒドロキシステアリン酸重合物のエステル化反応生成物としては、ジペンタエリスリトールとヒドロキシステアリン酸重合物のエステル化反応生成物であることが好ましく、トリポリヒドロキシステアリン酸ジペンタエリスリチルであることがより好ましい。
【００２５】
本発明において、アルコールと１２−ヒドロキシステアリン酸重合物とのエステル化反応は、具体的には、以下のように実施する。アルコール、及び１２−ヒドロキシステアリン酸重合物を反応容器に入れ、不活性な有機溶媒及び／または気体中において、２００℃〜２２０℃の温度で１〜２０時間エステル化反応を行った後、精製処理してアルコールと１２−ヒドロキシステアリン酸重合物とのエステル化反応生成物を得る。 
【００２６】
上記エステル化反応には、必要に応じて、触媒を使用してもよい。触媒としては、酸触媒、及びアルカリ土類金属のアルコキシド等が挙げられ、酸触媒、又はアルカリ土類金属のアルコキシドを触媒として用いる場合、その使用量は、反応原料の総質量に対して０．００１〜１．０質量％程度であることが好ましい。
【００２７】
反応後、水洗、アルカリによる脱酸、及び吸着処理等の公知の精製処理を行なうことで、触媒や原料未反応物を除去することができる。更に、脱色、脱臭処理を施すことで、得られた反応物をさらに精製することができる。 
このようにして、無色〜淡黄色の透明液状で、かつ無臭のエステル化反応生成物を得ることができる。得られたエステル化反応生成物は、以下に説明する洗浄料の構成成分として用いることができる。 
【００２８】
例えば、ヒドロキシステアリン酸重合物とジペンタエリスリトールとのエステル化反応の場合、前記反応に用いる１２−ヒドロキシステアリン酸重合物の仕込み量は、水酸基価の値を下記に示す範囲とし、また、未反応のジペンタエリスリトールを少なくすることを考慮して決定される。すなわち、エステル化反応に用いる１２-ヒドロキシステアリン酸重合物の仕込み量は、ジペンタエリスリトール１モルに対して、１〜６モルとするのが好ましく、１．５〜５モルとするのがより好ましく、２〜４モルとするのが最も好ましい。
このように仕込み比を調整することで、得られるエステル化反応生成物の外観、粘度及び抱水性を、ニーズに合ったものに調整することができる。
ここで、抱水性とは水を抱え込む性質のことを指し、抱水率（％）によって評価することができる。また、粘度とは、ブルックフィールド粘度計、ストレス制御式レオメーター等によって測定した値のことを指す。
【００２９】
成分（Ｂ）として用いられる、上記ヒドロキシステアリン酸重合物とジペンタエリスリトールとのエステル化反応生成物の水酸基価は、好ましくは２０〜７０ｍｇＫＯＨ／ｇであり、より好ましくは２０〜６０ｍｇＫＯＨ／ｇであり、さらに好ましくは２５〜５０ｍｇＫＯＨ／ｇであり、最も好ましくは３０〜４０ｍｇＫＯＨ／ｇである。水酸基価が２０ｍｇＫＯＨ／ｇ未満であると、目的とする抱水性、分散性を有するものを得ることが難しい場合がある。また、水酸基価が７０ｍｇＫＯＨ／ｇを超えたり、２０ｍｇＫＯＨ／ｇより小さいと、製造が困難になる場合がある。すなわち、ヒドロキシステアリン酸重合物とジペンタエリスリトールとのエステル化反応生成物の水酸基価が、２０〜７０ｍｇＫＯＨ／ｇであれば、目的とする抱水性、分散性を有するエステル化反応生成物を製造しやすいため好ましい。ヒドロキシステアリン酸重合物のエステル化反応生成物の水酸基価を上記範囲とするには、例えば、ジペンタエリスリトール及び１２−ヒドロキシステアリン酸重合物の使用割合、すなわち、ジペンタエリスリトールと１２−ヒドロキシステアリン酸重合物の仕込み量を調整することにより実施することができる。
ここで、水酸基価とは、ヒドロキシステアリン酸重合物のエステル化反応生成物１ｇ中に含まれる水酸基をアセチル化するのに必要な水酸化カリウムのｍｇ数のことを指す。
【００３０】
成分（Ｂ）として用いられるヒドロキシステアリン酸重合物とジペンタエリスリトールとのエステル化反応生成物の酸価は、好ましくは３ｍｇＫＯＨ／ｇ以下、すなわち、０〜３ｍｇＫＯＨ／ｇである。酸価が３ｍｇＫＯＨ／ｇを超えると、においが生じてしまうことがある。ヒドロキシステアリン酸重合物のエステル化反応生成物の酸価を上記範囲に調整する手法としては、エステル化反応中に、反応生成物をサンプリングしてその酸価を測定し、サンプルの酸価が３ｍｇＫＯＨ／ｇ以下となった時点でエステル化反応を停止する方法が挙げられる。 
【００３１】
本発明の洗浄料用組成物中、成分（Ｂ）のヒドロキシステアリン酸重合物及びヒドロキシステアリン酸重合物のエステル化反応生成物の含有量は、前記洗浄料用組成物が配合された洗浄料の起泡力、泡質、使用感の改善効果を奏するために十分な濃度であればよく、前記洗浄料用組成物が配合される洗浄料の種類、その他の配合成分の種類や量等を考慮して適宜決定することができる。例えば、本発明の洗浄料用組成物は成分（Ｂ）のヒドロキシステアリン酸重合物及びヒドロキシステアリン酸重合物のエステル化反応生成物を、洗浄料用組成物の総質量に対して、０．１〜１５質量％、好ましくは０．５〜１０質量％、より好ましくは０．５〜８質量％含有することができる。成分（Ｂ）のヒドロキシステアリン酸重合物及びヒドロキシステアリン酸重合物のエステル化反応生成物の含有量が、洗浄料用組成物の総質量に対して、０．１〜１５質量％であれば、起泡力、泡質が良好で、洗浄後にべたつきが無く、しっとりとした感触が得られるため好ましい。
【００３２】
本発明の洗浄料用組成物は、本発明の効果を損なわない限り、一般的に洗浄料用組成物に用いられる各種成分を必要に応じて適宜配合することができる。具体的には、例えば、天然の水溶性高分子、半合成の水溶性高分子、合成の水溶性高分子、及び無機の水溶性高分子等の水溶性高分子；紫外線吸収剤、金属イオン封鎖剤；低級アルコール、及び多価アルコール等の分散媒；単糖、オリゴ糖、及び多糖；、アミノ酸；有機アミン；合成樹脂エマルジョン；防腐剤；ｐＨ調製剤；ビタミン類；植物抽出エキス；酸化防止剤；酸化防止助剤；香料等が挙げられる。これらの成分は、１種又は２種以上を組合せて用いることができる。
【００３３】
天然の水溶性高分子としては、例えば、アラビアガム、トラガカントガム、ガラクタン、グアガム、キャロブガム、カラヤガム、カラギーナン、ペクチン、クインスシード（マルメロ）、アルゲコロイド（カッソウエキス）、デンプン（コメ、トウモロコシ、バレイショ、コムギ）等の植物系高分子、デキストラン、サクシノグルカン、ブルラン等の微生物系高分子、及びコラーゲン、カゼイン、アルブミン、ゼラチン等の動物系高分子が挙げられる。
【００３４】
半合成の水溶性高分子としては、例えば、カルボキシメチルデンプン、メチルヒドロキシプロピルデンプン等のデンプン系高分子、メチルセルロース、ニトロセルロース、メチルヒドロキシプロピルセルロース、セルロース硫酸ナトリウム、ヒドロキシプロピルセルロース、カルボキシメチルセルロース、カルボキシメチルセルロースナトリウム、結晶セルロース、セルロース末等のセルロース系高分子、及びアルギン酸ナトリウム、アルギン酸プロピレングリコールエステル等のアルギン酸系高分子等が挙げられる。
【００３５】
合成の水溶性高分子としては、例えば、ポリビニルアルコール、ポリビニルメチルエーテル、ポリビニルピロリドン、カルボキシビニルポリマー（カーボポール）等のビニル系高分子、ポリオキシエチレンポリオキシプロピレン共重合体等の共重合系高分子、ポリアクリル酸ナトリウム、ポリエチルアクリレート、ポリアクリルアミド等のアクリル系高分子、ポリエチレンイミン、及びカチオンポリマー等が挙げられる。
【００３６】
無機の水溶性高分子としては、例えば、ベントナイト、ケイ酸ＡｌＭｇ（ビーガム）、ラポナイト、ヘクトライト、及び無水ケイ酸等が挙げられる。
【００３７】
紫外線吸収剤としては、例えば、パラアミノ安息香酸（以下、ＰＡＢＡと略す）、ＰＡＢＡモノグリセリンエステル、Ｎ，Ｎ−ジプロポキシＰＡＢＡエチルエステル、Ｎ，Ｎ−ジエトキシＰＡＢＡエチルエステル、Ｎ，Ｎ−ジメチルＰＡＢＡエチルエステル、Ｎ，Ｎ−ジメチルＰＡＢＡブチルエステル等の安息香酸系紫外線吸収剤；ホモメンチル−Ｎ−アセチルアントラニレート等のアントラニル酸系紫外線吸収剤；アミルサリシレート、メンチルサリシレート、ホモメンチルサリシレート、オクチルサリシレート、フェニルサリシレート、ベンジルサリシレート、ｐ−イソプロパノールフェニルサリシレート等のサリチル酸系紫外線吸収剤；オクチルシンナメート、エチル−４−イソプロピルシンナメート、メチル−２，５−ジイソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、オクチル−ｐ−メトキシシンナメート（２−エチルヘキシル−ｐ−メトキシシンナメート）、２−エトキシエチル−ｐ−メトキシシンナメート、シクロヘキシル−ｐ−メトキシシンナメート、エチル−α−シアノ−β−フェニルシンナメート、２−エチルヘキシル−α−シアノ−β−フェニルシンナメート、グリセリルモノ−２−エチルヘキサノイル−ジパラメトキシシンナメート等の桂皮酸系紫外線吸収剤；２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−メトキシベンゾフェノン、２−ヒドロキシ−４−メトキシ−４’−メチルベンゾフェノン、２−ヒドロキシ−４−メトキシベンゾフェノン−５−スルホン酸塩、４−フェニルベンゾフェノン、２−エチルヘキシル−４’−フェニル−ベンゾフェノン−２−カルボキシレート、２−ヒドロキシ−４−ｎ−オクトキシベンゾフェノン、４−ヒドロキシ−３−カルボキシベンゾフェノン等のベンゾフェノン系紫外線吸収剤；３−（４’−メチルベンジリデン）−ｄ，ｌ−カンファー、３−ベンジリデン−ｄ，ｌ−カンファー、ウロカニン酸、ウロカニン酸エチルエステル、２−フェニル−５−メチルベンゾキサゾール、２，２’−ヒドロキシ−５−メチルフェニルベンゾトリアゾール、２−（２’−ヒドロキシ−５’−ｔ−オクチルフェニル）ベンゾトリアゾール、２−（２’−ヒドロキシ−５’−メチルフェニル）ベンゾトリアゾール、ジベンザラジン、ジアニソイルメタン、４−メトキシ−４’−ｔ−ブチルジベンゾイルメタン、５−（３，３−ジメチル−２−ノルボルニリデン）−３−ペンタン−２−オン、及び２，４，６−トリアニリノ−ｐ−（カルボ−２’−エチルヘキシル−１’−オキシ）１，３，５−トリアジン、４−ｔｅｒｔ−ブチル−４’−メトキシジベンゾイルメタン等が挙げられる。紫外線吸収剤は単独で用いてもよく、又は２種以上を組み合わせて用いてもよい。
【００３８】
金属イオン封鎖剤としては、例えば、エデト酸二ナトリウム、エデト酸塩、及びヒドロキシエタンジホスホン酸等が挙げられる。金属イオン封鎖剤は単独で用いてもよく、又は２種以上を組み合わせて用いてもよい。
【００３９】
低級アルコールとしては、例えば、メタノール、エタノール、プロパノール、イソプロパノール、イソブチルアルコール、ｔ−ブチルアルコール等が挙げられる。
【００４０】
多価アルコールとしては、例えば、プロピレングリコール、グリセリン、ジグリセリン、１，３ブチレングリコール、イソプレングリコール、ジプロピレングリコール、ポリエチレングリコール、ペンタエリスリトール、ジペンタエリスリトール、ネオペンチルグリコール、ソルビトール、ソルビタン等が挙げられる。このうち、グリセリン、ジプロプレングリコール、ソルビトール、プロピレングリコール、１，３ブチレングリコール、ポリエチレングリコールを用いることが好ましく、グリセリン、ジプロピレングリコール、ソルビトールを用いることがより好ましい。
【００４１】
単糖としては、例えば、Ｄ−グリセリルアルデヒド、ジヒドロキシアセトン等の三炭糖、Ｄ−エリトロース、Ｄ−エリトロース、Ｄ−トレオース等の四炭糖、Ｌ−アラビノース、Ｄ−キシロース、Ｌ−リキソース、Ｄ−アラビノース、Ｄ−リボース、Ｄ−リブロース、Ｄ−キシルロース、Ｌ−キシルロース等の五炭糖、Ｄ−グルコース、Ｄ−タロース、Ｄ−プシコース、Ｄ−ガラクトース、Ｄ−フルクトース、Ｌ−ガラクトース、Ｌ−マンノース、Ｄ−タガトース等の六炭糖、アルドヘプトース、ヘプツロース等の七炭糖、オクトース等の八炭糖、２−デオキシ−Ｄ−リボース、６−デオキシ−Ｌ−ガラクトース、６−デオキシ−Ｌ−マンノース等のデオキシ糖、Ｄ−グルコサミン、Ｄ−ガラクトサミン、シアル酸、アミノウロン酸、ムラミン酸等のアミノ糖、及びＤ−グルクロン酸、Ｄ−マンヌロン酸、Ｌ−グルロン酸、Ｄ−ガラクツロン酸、Ｌ−イズロン酸等のウロン酸等が挙げられる。
【００４２】
オリゴ糖としては、例えば、ゲンチアノース、ウンベリフェロース、ラクトース、プランテオース、イソリクノース類、ラフィノース、リクノース類、ウンビリシン、及びスタキオースベルバスコース類等が挙げられる。
【００４３】
多糖としては、例えば、セルロース、コンドロイチン硫酸、デキストリン、グルコマンナン、キチン、ガラクタン、デルマタン硫酸、グリコーゲン、アラビアガム、ヘパラン硫酸、トラガントガム、ケラタン硫酸、コンドロイチン、ムコイチン硫酸、グアガム、デキストラン、ケラト硫酸、ローカストビーンガム、サクシノグルカン、及びカロニン酸等が挙げられる。
【００４４】
アミノ酸として、例えば、スレオニン、システイン等の中性アミノ酸、ヒドロキシリジン等の塩基性アミノ酸が挙げられる。また、アミノ酸誘導体として、例えば、アシルサルコシンナトリウム（ラウロイルサルコシンナトリウム）、アシルグルタミン酸塩、アシルβ−アラニンナトリウム、グルタチオン等が挙げられる。
【００４５】
有機アミンとしては、例えば、モノエタノールアミン、ジエタノールアミン、トリエタノールアミン、モルホリン、トリイソプロパノールアミン、２−アミノ−２−メチル−１，３−プロパンジオール、及び２−アミノ−２−メチル−１−プロパノール等が挙げられる。
【００４６】
合成樹脂エマルジョンとしては、例えば、アクリル酸アルキル共重合体エマルジョン、メタクリル酸アルキル重合体エマルジョン、アクリル酸・アクリル酸アルキル共重合体エマルジョン、メタクリル酸・メタクリル酸アルキル共重合体エマルジョン、アクリル酸アルキル・スチレン共重合体エマルジョン、メタクリル酸アルキル・スチレン共重合体エマルジョン、酢酸ビニル重合体エマルジョン、ポリ酢酸ビニルエマルジョン、酢酸ビニル含有共重合体エマルジョン、ビニルピロリドン・スチレン共重合体エマルジョン、シリコーン含有共重合体エマルジョン等が挙げられる。合成樹脂エマルジョンは、単独で用いてもよく、又は２種以上を組み合わせて用いてもよい。
【００４７】
防腐剤としては、例えば、メチルパラベン、エチルパラベン、ブチルパラベン、フェノキシエタノール等が挙げられる。防腐剤は、単独で用いてもよく、又は２種以上を組み合わせて用いてもよい。
【００４８】
ｐＨ調整剤としては、例えば、エデト酸、エデト酸二ナトリウム、水酸化ナトリウム、水酸化カリウム、及びトリエタノールアミン等が挙げられる。ｐＨ調整剤は、単独で用いてもよく、又は２種以上を組み合わせて用いてもよい。
【００４９】
ビタミン類としては、例えば、ビタミンＡ、ビタミンＢ１、ビタミンＢ２、ビタミンＢ６、ビタミンＥ、ビタミンＫ及びそれらの誘導体、パントテン酸及びその誘導体、ビオチン等が挙げられる。
【００５０】
植物抽出エキスとしては、アロエベラ、ウイッチヘーゼル、ハマメリス、キュウリ、レモン、ラベンダー、ローズ等が挙げられる。
【００５１】
酸化防止剤としては、例えば、油溶性ビタミンＣ誘導体、トコフェロール類及びそれらの誘導体並びにそれらの塩、ジブチルヒドロキシトルエン、ブチルヒドロキシアニソール、及び没食子酸エステル類等が挙げられる。酸化防止剤は、単独で用いてもよく、又は２種以上を組み合わせて用いてもよい。
【００５２】
酸化防止助剤としては、例えば、リン酸、クエン酸、マレイン酸、マロン酸、コハク酸、フマル酸、ケファリン、ヘキサメタホスフェイト、フィチン酸、及びエチレンジアミン四酢酸等が挙げられる。
【００５３】
本発明の洗浄料用組成物のその他の態様としては、
成分（Ａ）：イオン性界面活性剤と、
成分（Ｂ）：ヒドロキシステアリン酸重合物、及びヒドロキシステアリン酸重合物のエステル化反応生成物からなる群より選択される1種以上の化合物と、
成分（Ｃ）：分散媒と、
水とを含有する洗浄料用組成物であって、
前記洗浄料用組成物の総質量に対し、
前記成分（Ａ）が、５〜６０質量％、
前記成分（Ｂ）が、０．１〜１５質量％、
前記成分（Ｃ）が、１〜５０質量％、
水が、５〜９０質量％であり、
前記各成分の合計量が１００質量％を超えない洗浄料用組成物が挙げられる。
【００５４】
本発明の洗浄料用組成物のその他の態様としては、
成分（Ａ）：脂肪酸セッケン、脂肪酸アミドスルホン酸塩、アルキル硫酸エステル塩、Ｎ−アシルグルタミン酸塩、及びＮ−アシルグリシン塩からなる群より選択される１種以上のアニオン界面活性剤と、
成分（Ｂ）：ヒドロキシステアリン酸重合物、及びヒドロキシステアリン酸重合物のエステル化反応生成物からなる群より選択される1種以上の化合物と、
成分（Ｃ）：グリセリン、ジプロピレングリコール、ソルビトール、プロピレングリコール、１，３ブチレングリコール、ポリエチレングリコールからなる群より選択される1種以上の分散媒と、
水とを含有する洗浄料用組成物であって、
前記洗浄料用組成物の総質量に対し、
前記成分（Ａ）が、５〜５０質量％、
前記成分（Ｂ）が、０．５〜１０質量％、
前記成分（Ｃ）が、１〜４０質量％、
水が、５〜９０質量％であり、
前記各成分の合計量が１００質量％を超えない洗浄料用組成物が挙げられる。
【００５５】
本発明の洗浄料用組成物のその他の態様としては、
成分（Ａ）：脂肪酸セッケン、脂肪酸アミドスルホン酸塩、アルキル硫酸エステル塩、Ｎ−アシルグルタミン酸塩及びＮ−アシルグリシン塩からなる群より選択される１種以上のアニオン界面活性剤と、
成分（Ｂ）：平均量体数が２〜１２であることを特徴とする、ヒドロキシステアリン酸重合物、及びトリポリヒドロキシステアリン酸ジペンタエリスリチルからなる群より選択される1種以上の化合物と、
成分（Ｃ）：グリセリン、ジプロピレングリコール、ソルビトール、プロピレングリコール、１，３ブチレングリコール、ポリエチレングリコールからなる群より選択される1種以上の分散媒と、
水とを含有する洗浄料用組成物であって、
前記洗浄料用組成物の総質量に対し、
前記成分（Ａ）が、５〜５０質量％、
前記成分（Ｂ）が、０．５〜１０質量％、
前記成分（Ｃ）が、１〜４０質量％、
水が、５〜９０質量％であり、
前記各成分の合計量が１００質量％を超えない洗浄料用組成物が挙げられる。
【００５６】
（洗浄料）
本発明における洗浄料とは、上述の洗浄料用組成物から構成されるものである。本発明の洗浄料は、洗顔料、クレンジング化粧料、ボディシャンプー、シャンプー、低刺激性シャンプー（ベビーシャンプー）、低刺激性ボディシャンプー、ペット用洗浄剤等に用いることができる。この他、衣料用液体洗剤、食器用洗浄剤、壁面洗浄用液体洗剤等の各種洗浄剤にも好適に用いることができる。
【００５７】
本発明の洗浄料の剤型としては、特に制限はないが、例えばペースト状、ゲル状、液状、固形状、ムース状等とすることができる。すなわち、本発明の洗浄料は、ペースト状洗浄料、ゲル状洗浄料、液状洗浄料、固形状洗浄料、ムース状洗浄料として使用することができる。このうち、液状、固形状、及びムース状洗浄料として用いることが好ましい。
本発明の洗浄料は、ヒドロキシステアリン酸の重合物、及びヒドロキシステアリン酸重合物のエステル化反応生成物からなる群より選択される１種以上の化合物を配合しているため、通常の洗浄料よりも、気泡力、泡質が良好であるという特徴を有している。そのため、洗浄料を泡立てて使用する必要があり、かつ、良好な泡質が求められる、液状、固形状、及びムース状洗浄料として使用することが好ましい。
【００５８】
また、本発明の洗浄料は、従来公知の洗浄料の製造方法により、製造することができる。また、本発明の洗浄料用組成物として挙げた上記成分（Ａ）、及び（Ｂ）のいずれか１種又は数種を含有した洗浄料を製造し、その後、前記洗浄料に残りの成分又はそれらを含む洗浄料原料を添加して、洗浄料を完成させてもよい。
【実施例】
【００５９】
以下、本発明の実施例及び比較例を示し、本発明を更に詳しく説明するが、本発明はこれらに限定されるものではない。なお、実施例７は参考例である。
【００６０】
［実施例１〜６、比較例１〜８］
（製法）
表１〜３に示す配合にて、クレンジングフォームを得た。具体的には、表１〜３中、成分ａを全て混合し、７０℃で溶解させ、混合物ａを得た。一方で、表１〜３中、成分ｂを全て混合し、７０℃で溶解させ、混合物ｂを得た。７０℃の温度にて混合物ｂに混合物ａを攪拌しながら徐々に加え、けん化反応を行い、けん化反応が終了した後、攪拌しながら冷却し、クリーミークレンジングフォームを得た。
表１〜３において、使用されているポリヒドロキシステアリン酸（１２−ヒドロキシステアリン酸）の平均量体数は６である。また、実施例１、及び４において使用されているトリポリヒドロキシステアリン酸ジペンタエリスリチルは、平均量体数が６のポリヒドロキシステアリン酸とジペンタエリスリトールとのエステル化反応生成物である。
また、成分ａ中のステアリン酸、ラウリン酸、ミリスチン酸は、成分ｂ中の水酸化カリウムによりけん化され、クリーミークレンジングフォーム中にイオン性界面活性剤として存在する。【００６１】
（評価）
各クリーミークレンジングフォームについて、泡立ちやすさ、泡の細かさ、泡の弾性（粘性）、泡の持続力、すすぎやすさ、すすぎ後の後残り、乾燥後のぬるつき、乾燥後のしっとり感について評価した。具体的には、本発明のクリーミークレンジングフォーム２ｇを手のひらで泡立て、顔全体に均一に塗布した後、１０秒間洗顔を行った。その後、２５℃の流水で２０秒間すすいだ後、タオルドライを行った。この評価を、専門のパネラー５名により行い、泡立ちやすさ、泡の細かさ、泡の弾性（粘性）、泡の持続力、すすぎ時のすすぎやすさ、すすぎ後の後残り、乾燥後のぬるつき、乾燥後のしっとり感を、以下の評価基準に従って評価した。
＜泡立ちやすさ＞
Ａ：５名全員が、非常に泡立ちが良いと回答した。
Ｂ：５名中４名が、泡立ちが良いと回答した。
Ｃ：５名中３名が、泡立ちが良いと回答した。
Ｄ：５名中２名が、泡立ちが良いと回答した。
＜泡の細かさ＞
Ａ：５名全員が、非常に泡が細かいと回答した。
Ｂ：５名中４名が、泡が細かいと回答した。
Ｃ：５名中３名が、泡が細かいと回答した。
Ｄ：５名中２名が、泡が細かいと回答した。
＜泡の弾性（粘性）＞
Ａ：５名全員が、非常に弾性があると回答した。
Ｂ：５名中４名が、弾性があると回答した。
Ｃ：５名中３名が、弾性があると回答した。
Ｄ：５名中２名が、弾性があると回答した。
＜泡の持続力＞
Ａ：５名全員が、泡が持続すると回答した。
Ｂ：５名中４名が、泡が持続すると回答した。
Ｃ：５名中３名が、泡が持続すると回答した。
Ｄ：５名中２名が、泡が持続すると回答した。
＜すすぎやすさ＞
Ａ：５名全員が、すすぎやすいと回答した。
Ｂ：５名中４名が、すすぎやすいと回答した。
Ｃ：５名中３名が、すすぎやすいと回答した。
Ｄ：５名中２名が、すすぎやすいと回答した。
＜すすぎ後の後残り＞
Ａ：５名全員が、後残りが無いと回答した。
Ｂ：５名中４名が、後残りが無いと回答した。
Ｃ：５名中３名が、後残りが無いと回答した。
Ｄ：５名中２名が、後残りが無いと回答した。
＜乾燥後のぬるつき＞
Ａ：５名全員が、ぬるつきが無いと回答した。
Ｂ：５名中４名が、ぬるつきが無いと回答した。
Ｃ：５名中３名が、ぬるつきが無いと回答した。
Ｄ：５名中２名が、ぬるつきが無いと回答した。
＜乾燥後のしっとり感＞
Ａ：５名全員が、しっとり感があると回答した。
Ｂ：５名中４名が、しっとり感があると回答した。
Ｃ：５名中３名が、しっとり感があると回答した。
Ｄ：５名中２名が、しっとり感があると回答した。
評価結果を表１〜３に示す。【００６２】
【表１】
0006028302.tif 000002
＊１  ：  「ＮＡＡ−１８０」（日油社製）
＊２  ：  「ＬＵＮＡＣ  Ｌ−９８」（花王ケミカル社製）
＊３  ：  「ＮＡＡ−１４２」（日油社製）
＊４  ：  「レボン２０００」（三洋化成社製）
＊５  ：  「Ｎｉｋｋｏｌ  ＣＭＴ−３０」（日光ケミカルズ社製）
＊６  ：  「サラコスＷＯ−６」（日清オイリオグループ社製）
＊７  ：  「サラコスＨＳ−６Ｃ」（日清オイリオグループ社製）
＊８  ：  「ＰＥＧ−４００」（三洋化成社製）
＊９  ：  「ＥＭＡＬＥＸ  ＧＭＳ−ＡＳＥ」（日本エマルジョン社製）【００６３】
【表２】
0006028302.tif 000003
＊１  ：  「ＮＡＡ−１８０」（日油社製）
＊２  ：  「ＬＵＮＡＣ  Ｌ−９８」（花王ケミカル社製）
＊３  ：  「ＮＡＡ−１４２」（日油社製）
＊４  ：  「レボン２０００」（三洋化成社製）
＊５  ：  「Ｎｉｋｋｏｌ  ＣＭＴ−３０」（日光ケミカルズ社製）
＊６  ：  「Ｔ．Ｉ．Ｏ」（日清オイリオグループ社製）
＊７  ：  「サラコス４１Ｖ」（日清オイリオグループ社製）
＊８  ：  「ノムコートＴＱ−５」（日清オイリオグループ社製）
＊９  ：  「ノムコートＷ」（日清オイリオグループ社製）
＊１０  ：  「ＰＥＧ−４００」（三洋化成社製）
＊１１  ：  「ＥＭＡＬＥＸ  ＧＭＳ−ＡＳＥ」（日本エマルジョン社製）【００６４】
【表３】
0006028302.tif 000004
＊１  ：  「ＮＡＡ−１８０」（日油社製）
＊２  ：  「ＬＵＮＡＣ  Ｌ−９８」（花王ケミカル社製）
＊３  ：  「ＮＡＡ−１４２」（日油社製）
＊４  ：  「レボン２０００」（三洋化成社製）
＊５  ：  「Ｎｉｋｋｏｌ  ＣＭＴ−３０」（日光ケミカルズ社製）
＊６  ：  「エルデュウＰＳ−２０３」（味の素社製）
＊７  ：  「ＰＥＧ−４００」（三洋化成社製）
＊８  ：  「ＥＭＡＬＥＸ  ＧＭＳ−ＡＳＥ」（日本エマルジョン社製）【００６５】
この結果、トリポリヒドロキシステアリン酸ジペンタエリスリチル又はポリヒドロキシステアリン酸を含有させた実施例１〜６のクリーミークレンジングフォームでは、泡立ちやすさ、泡の細かさ、泡の弾性（粘性）、泡の持続力、すすぎやすさ、すすぎ後の後残り、乾燥後のぬるつき、乾燥後のしっとり感のいずれも良好であった。
これに対して、モノイソステアリン酸ポリグリセリル又はイソステアリン酸トレハロースエステルズを含有させた比較例３及び４のクリーミークレンジングフォームでは、これらを含有していない比較例１のクリーミークレンジングフォームに比べて乾燥後のしっとり感は改善されていたものの、泡立ちやすさ等のその他の評価項目は全て悪化していた。
また、トリエチルヘキサノイン、オリーブ油、ワセリン、１２−ヒドロキシステアリン酸を含有させた比較例２、５、６、及び７のクリーミークレンジングフォームでも、比較例１のクリーミークレンジングフォームに比べて乾燥後のしっとり感は改善されていたものの、泡立ちやすさ等のその他の評価項目の多くは悪化していた。また、特許文献３において、抱水率１００％以上である油剤として列挙されていたラウロイルグルタミン酸ジ（フィトステリル／オクチルドデシル）を含有させた比較例８のクリーミークレンジングフォームは、比較例１のクリーミークレンジングフォームに比べて乾燥後のしっとり感は改善されていたものの、泡立ちやすさ、すすぎやすさ、すすぎ後の後残り、乾燥後のぬるつきは悪化していた。【００６６】
＜抱水率の測定＞
イソステアリン酸トレハロースエステルズ、モノイソステアリン酸ポリグリセリル、トリポリヒドロキシステアリン酸ジペンタエリスリチル、ポリヒドロキシステアリン酸（１２−ヒドロキシステアリン酸）、トリエチルヘキサノイン、ワセリン及びオリーブ油の抱水率を測定した。
（測定方法）
まず、３００ｍＬのステンレスジョッキに対象サンプルを５ｇ計量し、前記サンプルとプロペラの重量を記録した。次に、サンプル及び精製水を７０℃に加温した後、プロペラにてサンプルを攪拌しながら、精製水を徐々に添加した。精製水が入らなくなった点、すなわち、水がサンプルから排液してくる点を終点とし、余分な水を除去した。その後、再度ジョッキ及びプロペラの重量を記録し、以下の計算式にて抱水率を算出した。
抱水率（％） = (［測定後重量］−［測定前重量］)／［サンプリング量］×１００【００６７】
【表４】
0006028302.tif 000005
＊１  ：  「ノムコートＴＱ−５」（日清オイリオグループ社製）
＊２  ：  「サラコス４１Ｖ」（日清オイリオグループ社製）
＊３  ：  「サラコスＷＯ−６」（日清オイリオグループ社製）
＊４  ：  「サラコスＨＳ−６Ｃ」（日清オイリオグループ社製）
＊５  ：  「Ｔ．Ｉ．Ｏ」（日清オイリオグループ社製）
＊６  ：  「ノムコートＷ」（日清オイリオグループ社製）【００６８】
測定及び算出結果を表４に示す。この結果、実施例１〜６において用いたトリポリヒドロキシステアリン酸ジペンタエリスリチル及びポリヒドロキシステアリン酸のうち、トリポリヒドロキシステアリン酸ジペンタエリスリチルの抱水率は１００％以上であり高かったが、ポリヒドロキシステアリン酸の抱水率は２３．８４％でしかなかった。これらの結果から、本発明の洗浄料の効果、すなわち、乾燥後のしっとり感等が、洗浄料に添加される物質の抱水率に依存しているわけではないことが明らかである。【００６９】
［実施例７〜９］
（製法）
表５に示す配合にて、クレンジングフォームを得た。具体的には、実施例１〜３と同じ製法を用いて、クリーミークレンジングフォームを得た。【００７０】
（評価）
各クリーミークレンジングフォームについて、泡立ちやすさ、泡の細かさ、泡の弾性（粘性）、泡の持続力、すすぎやすさ、すすぎ後の後残り、乾燥後のぬるつき、乾燥後のしっとり感について評価した。評価結果を表５に示す。【００７１】
【表５】
0006028302.tif 000006
＊１  ：  「ＮＡＡ−１８０」（日油社製）
＊２  ：  「ＬＵＮＡＣ  Ｌ−９８」（花王ケミカル社製）
＊３  ：  「ＮＡＡ−１４２」（日油社製）
＊４  ：  「レボン２０００」（三洋化成社製）
＊５  ：  「Ｎｉｋｋｏｌ  ＣＭＴ−３０」（日光ケミカルズ社製）
＊６  ：  「ＰＥＧ−４００」（三洋化成社製）
＊７  ：  「ＥＭＡＬＥＸ  ＧＭＳ−ＡＳＥ」（日本エマルジョン社製）【００７２】
［実施例１０、比較例９］
（製法）
表６に示す配合にて、ベビーシャンプーを得た。具体的には、表６中の成分を全て混合し、７０℃で溶解させ、攪拌しながら冷却し、ベビーシャンプーを得た。【００７３】
（評価）
各ベビーシャンプーについて、泡立ちやすさ、泡の細かさ、泡の弾性（粘性）、泡の持続力、すすぎやすさ、すすぎ後の後残り、乾燥後のぬるつき、乾燥後のしっとり感について評価した。評価結果を表６に示す。【００７４】
【表６】
0006028302.tif 000007
＊１  ：  「ノムコートＡＧ」（日清オイリオグループ社製）
＊２  ：  「サラコスＨＳ−６Ｃ」（日清オイリオグループ社製）
＊３  ：  「レボン２０００」（三洋化成社製）
＊４  ：  「マイドール１０」（花王社製）
＊５  ：  「ＨＹＤＲＯＶＡＮＣＥ」（アクゾノーベル社製）【００７５】
この結果、ポリヒドロキシステアリン酸（６量体）を含有させた実施例１０のベビーシャンプーは、ポリヒドロキシステアリン酸（６量体）を含有していない比較例９のベビーシャンプーと比較して、泡立ちやすさ、泡の細かさ、泡の弾性（粘性）、泡の持続力、すすぎやすさ、すすぎ後の後残り、乾燥後のぬるつき、乾燥後のしっとり感のいずれも良好であった。
【産業上の利用可能性】
【００７６】
本発明の洗浄料用組成物は、特に、各種洗浄料の製造の分野において好適に利用できる。